(57)【要約】【課題】ユーザに設備機器の制御過程を提示可能な表示制御装置等を提供する。【解決手段】設備機器を制御する設備制御システム１において、設備制御装置２００は、設備機器１００の制御内容を、予め定められた制御アルゴリズムを用いて決定し、設備機器１００に、決定した制御内容を送信する。表示制御装置４００は、設備制御装置２００が制御内容の決定に用いた制御アルゴリズムを、ユーザが認識可能な平文データに変換し、変換された制御アルゴリズムの平文データを表示装置３００に出力する。【選択図】図１
2016001085.tif 000002
【特許請求の範囲】
【請求項１】
設備機器の制御内容を、予め定められた制御アルゴリズムを用いて決定する設備制御装置から、当該設備制御装置が前記制御内容の決定に用いた前記制御アルゴリズムを取得する取得部と、
前記取得部により取得された前記制御アルゴリズムを、ユーザが認識可能な形式に変換し、当該変換された前記制御アルゴリズムを表示装置に出力する表示制御部と、
を備えることを特徴とする表示制御装置。
【請求項２】
前記制御アルゴリズム毎に、当該制御アルゴリズムを表す、前記ユーザが認識可能な形式のデータを記憶する記憶部をさらに備え、
前記表示制御部は、前記記憶部から、前記取得部により取得された前記制御アルゴリズムに対応する前記ユーザが認識可能な形式のデータを取得し、当該取得した前記ユーザが認識可能な形式のデータを前記表示装置に出力する、
ことを特徴とする請求項１に記載の表示制御装置。
【請求項３】
前記表示制御部は、前記取得部により取得された前記制御アルゴリズムのうち、前記ユーザにより予め設定された表示条件を満たす制御アルゴリズムを、前記ユーザが認識可能な形式に変換し、当該変換された前記制御アルゴリズムを前記表示装置に出力する、
ことを特徴とする請求項１または２に記載の表示制御装置。
【請求項４】
前記表示制御部は、前記設備制御装置が決定した制御内容で前記設備機器が制御される場合と、前記設備制御装置が決定した制御内容で前記設備機器が制御されない場合と、の消費電力量の比較結果を、さらに前記表示装置に出力する、
ことを特徴とする請求項１から３のいずれか１項に記載の表示制御装置。
【請求項５】
設備機器を制御する設備制御システムであって、
前記設備機器の制御内容を、予め定められた制御アルゴリズムを用いて決定する制御内容決定部と、
前記制御内容の決定に用いた前記制御アルゴリズムを、ユーザが認識可能な形式に変換し、当該変換された前記制御アルゴリズムを表示装置に出力する表示制御部と、
を備えることを特徴とする設備制御システム。
【請求項６】
設備機器の制御内容を、予め定められた制御アルゴリズムを用いて決定する設備制御装置から、当該設備制御装置が前記制御内容の決定に用いた前記制御アルゴリズムを取得する取得ステップと、
前記取得ステップにおいて取得された前記制御アルゴリズムを、ユーザが認識可能な形式に変換し、当該変換された前記制御アルゴリズムを表示装置に出力する表示制御ステップと、
を有することを特徴とする表示制御方法。
【請求項７】
コンピュータを、
設備機器の制御内容を、予め定められた制御アルゴリズムを用いて決定する設備制御装置から、当該設備制御装置が前記制御内容の決定に用いた前記制御アルゴリズムを取得する取得手段、
前記取得手段により取得された前記制御アルゴリズムを、ユーザが認識可能な形式に変換し、当該変換された前記制御アルゴリズムを表示装置に出力する表示制御手段、
として機能させることを特徴とするプログラム。
【発明の詳細な説明】
【技術分野】
【０００１】
本発明は、設備機器を制御するための制御アルゴリズムの表示を制御する表示制御装置、設備制御システム、表示制御方法、及びプログラムに関する。
【背景技術】
【０００２】
建造物に設置された設備機器の制御結果を表示する方法として、例えば、特許文献１には、優先的にエネルギー削減施策をすべき建造物の判断を容易化し、効率的なエネルギー削減効果を得るために、複数の建造物毎にエネルギー消費の状況を表示するエネルギー管理システムを開示している。
【先行技術文献】
【特許文献】
【０００３】
【特許文献１】特開２０１１−４３９５８号公報
【発明の概要】
【発明が解決しようとする課題】
【０００４】
しかし、特許文献１に開示されているような技術では、ユーザは、エネルギー消費を認識することができるが、どのようなアルゴリズムに基づいてシステム側が制御した結果、そのエネルギー施策に至ったかについて認識できるものではない。特に、省エネルギーを目的として設備機器全体の動作をシステムが管理している場合、ユーザがある設備機器に対して操作を行っても、システム側の判断でその操作に対応する制御を行わない、または別の制御を行うといった状況もある。このような場合に、どのようなアルゴリズムに基づいて設備機器が制御されているのか知りたいというユーザ側のニーズがある。
【０００５】
本発明は、上述の事情の下になされたもので、ユーザに設備機器の制御過程を提示可能な表示制御装置、設備制御システム、表示制御方法、及びプログラムを提供することを目的とする。
【課題を解決するための手段】
【０００６】
上記目的を達成するため、本発明に係る表示制御装置は、
設備機器の制御内容を、予め定められた制御アルゴリズムを用いて決定する設備制御装置から、当該設備制御装置が前記制御内容の決定に用いた前記制御アルゴリズムを取得する取得部と、
前記取得部により取得された前記制御アルゴリズムを、ユーザが認識可能な形式に変換し、当該変換された前記制御アルゴリズムを表示装置に出力する表示制御部と、
を備えることを特徴とする。
【発明の効果】
【０００７】
本発明によれば、ユーザに設備機器の制御過程を提示することができる。
【図面の簡単な説明】
【０００８】
【図１】実施形態１に係る設備制御システムの概略構成を示すブロック図である。
【図２】実施形態１に係る設備制御装置のハードウェアの概略構成の一例を示すブロック図である。
【図３】制御アルゴリズムテーブルに格納されるデータの一例を示す図である。
【図４】実施形態１に係る設備制御装置の制御部の機能構成の一例を示すブロック図である。
【図５】実施形態１に係る表示制御装置のハードウェアの概略構成の一例を示すブロック図である。
【図６】平文化ルールテーブルに格納されるデータの一例を示す図である。
【図７】実施形態１に係る表示制御装置の制御部の機能構成の一例を示すブロック図である。
【図８】表示制御部により表示装置に出力された平文データの一例を示す図である。
【図９】実施形態１に係る設備制御処理の流れの一例を示すフローチャートである。
【図１０】実施形態１に係る表示制御処理の流れの一例を示すフローチャートである。
【図１１】実施形態２に係る表示制御装置の制御部の機能構成を示す概略ブロック図である。
【図１２】制御履歴テーブルに格納されるデータの一例を示す図である。
【図１３】機器設定テーブルに格納されるデータの一例を示す図である。
【図１４】表示条件テーブルに格納されるデータの一例を示す図である。
【図１５】実施形態２に係る表示制御処理の流れの一例を示すフローチャートである。
【発明を実施するための形態】
【０００９】
以下、本発明の実施形態を添付図面を参照しながら詳細に説明する。
【００１０】
（実施形態１）
図１は、本発明の実施形態に係る設備制御システム１の概略構成を示すブロック図である。本実施形態に係る設備制御システム１は、図示しない電力線を介して供給される電力を電源として動作する複数の設備機器１００と、設備機器１００の動作を制御する設備制御装置２００と、設備制御装置２００による設備機器１００の制御内容を表示する表示装置３００と、表示装置３００に表示されるデータを制御する表示制御装置４００と、設備機器１００の制御に必要なデータを設備制御装置２００に提供する情報提供装置５００（５００ａ，５００ｂ）と、から構成されている。
【００１１】
設備機器１００は、例えば、空調機器や照明機器等、建物に設置される電気機器から構成される。設備機器１００は、伝送線Ｌに接続された設備制御装置２００から受信した制御信号に従って自身の動作を制御する。
【００１２】
設備制御装置２００は、設備機器１００を制御する装置である。例えば、設備制御装置２００は、情報提供装置５００や設備機器１００から取得した情報に基づいて、自身に予め記録されている制御アルゴリズムを用いて各設備機器１００の制御内容を決定する。そして、設備制御装置２００は、決定した制御内容を表す制御信号を設備機器１００に送信することにより、設備機器１００を制御する。
【００１３】
表示装置３００は、液晶ディスプレイ等の表示装置から構成される。表示装置３００は、表示制御装置４００により出力された各種の情報を表示出力する。
【００１４】
表示制御装置４００は、設備制御装置２００により制御される設備機器１００の制御内容を、ユーザが認識可能な形式に変換して表示出力する装置である。
【００１５】
情報提供装置５００（５００ａ，５００ｂ）は、設備機器１００の制御に必要なデータを設備制御装置２００に提供する装置である。情報提供装置５００ａは、設備制御装置２００と直接通信可能に接続された装置であって、例えば、ユーザからの入力操作を受け付けるタッチパネル、キーボード、リモコン等の端末装置、設備機器１００が設置された環境における温度や照度等を計測するセンサ、設備機器１００が消費した電力量を計測する電力計から構成される。また、情報提供装置５００ｂは、インターネット等のネットワーク６００を介して設備制御装置２００と通信可能に接続された装置であって、例えば、予測された将来の天気のデータ（天気予報データ）を提供するサーバから構成される。なお、図１では、それぞれ１つの情報提供装置５００ａ，５００ｂを例示しているが、情報提供装置５００ａ，５００ｂの数はこれに限られず、それぞれ複数の情報提供装置５００ａ，５００ｂから構成されてもよい。
【００１６】
次に、設備制御装置２００のハードウェア構成について説明する。図２に、本実施形態１に係る設備制御装置２００のハードウェアの概略構成の一例を示す。図２に示すように、設備制御装置２００は、制御部２１０と、記憶部２２０と、入力部２３０と、表示部２４０と、通信部２５０を備える。記憶部２２０、入力部２３０、表示部２４０、及び、通信部２５０、はいずれも、内部バス２６０を介して制御部２１０に接続されている。
【００１７】
制御部２１０は、例えば、ＣＰＵ（Central Processing Unit）、ＲＯＭ（Read Only Memory）、ＲＡＭ（Random Access Memory）等から構成される。ＣＰＵは、ＲＡＭを作業領域として用いて、ＲＯＭに記憶される種々のプログラムを実行する。
【００１８】
記憶部２２０は、ハードディスク又はフラッシュメモリ等の不揮発性メモリから構成される。記憶部２２０は、制御部２１０の処理に用いられる種々のデータを記憶している。具体的には、記憶部２２０には、制御アルゴリズムテーブル２２１が記録されている。
【００１９】
制御アルゴリズムテーブル２２１は、各設備機器１００の制御内容を決定するために、予め定められた制御アルゴリズムを格納する。図３に、制御アルゴリズムテーブル２２１に格納されるデータの一例を示す。図３に示す制御アルゴリズムテーブル２２１は、制御アルゴリズムを識別する制御ＩＤ毎に、入力元種別と、制御条件と、入力元種別のデータが制御条件を満たす場合に決定される制御内容を含む制御情報と、が対応付けて格納されている。入力元種別は、情報提供装置５００から得られる情報の種別を表す。例えば、入力元種別“室温（Ｔｉ）”，“外気温（Ｔｏ）”は、それぞれ、設備機器１００が設置された室内の気温を測定する温度センサ、及び室外の気温を測定する温度センサから構成される情報提供装置５００ａから入力されたデータを表す。制御条件は、対応する入力元種別から入力されたデータの条件を表す。制御情報は、各設備機器１００を識別するための機器ＩＤと、その機器ＩＤにより識別される設備機器１００の制御内容と、を含む。なお、制御アルゴリズムテーブル２２１に格納される各種データは、例えば、予めユーザにより設定されている。
【００２０】
入力部２３０は、ユーザが設備制御装置２００を操作するためのマウスやキーボード等の入力装置から構成され、ユーザによって入力される各種の情報を受け付ける。
【００２１】
表示部２４０は、液晶ディスプレイ等の表示装置から構成されている。表示部２４０は、制御部２１０により出力された各種の情報を表示出力する。
【００２２】
通信部２５０は、設備機器１００、表示制御装置４００、及び情報提供装置５００との間で通信するための通信インタフェースから構成される。通信部２５０は、制御部２１０による制御のもと、各装置との間でのデータの送受信を行う。
【００２３】
次に、設備制御装置２００の制御部２１０の機能的構成について説明する。
【００２４】
図４は、本発明の実施形態１に係る設備制御装置２００の制御部２１０の機能構成を示す概略ブロック図である。図４に示すように、制御部２１０は、ＲＯＭに格納されたプログラムを実行することにより、情報取得部２１１、制御内容決定部２１２、として機能する。
【００２５】
情報取得部２１１は、通信部２５０を介して、情報提供装置５００から、制御内容を決定するために必要な情報を取得する。具体的には、情報取得部２１１は、情報提供装置５００から、入力元種別毎にデータを取得する。
【００２６】
例えば、情報提供装置５００ａが、ユーザからの入力操作を受け付けるタッチパネル、キーボード、リモコン等の端末装置である場合、情報取得部２１１は、その端末装置から、入力操作の種別毎に、その入力操作が示すデータを取得する。また、例えば、情報提供装置５００ａが、設備機器１００が設置された環境における温度や照度等を計測するセンサ、設備機器１００が消費した電力量を計測する電力計である場合、情報取得部２１１は、そのセンサ及び電力計の計測値をそれぞれ取得する。また、例えば、情報提供装置５００ｂが、天気予報データを提供するサーバである場合、情報取得部２１１は、そのサーバから天気予報データを取得する。
【００２７】
制御内容決定部２１２は、情報取得部２１１により取得された情報と、制御アルゴリズムテーブル２２１に格納された制御アルゴリズムに基づいて、各設備機器１００の制御内容を決定する。例えば、情報取得部２１１により取得された入力元種別“室温（Ｔｉ）”と、“天気予報データ（Ｗ）”のデータが、それぞれ“２５℃”及び“晴れ”である場合、制御内容決定部２１２は、制御アルゴリズムテーブル２２１を参照し、制御ＩＤ“Ｃ１”の制御アルゴリズムについて、入力元種別“室温（Ｔｉ）”と、“天気予報データ（Ｗ）”のデータが、対応する制御条件“Ｔｉ＜２８”及び“Ｗ＝“晴れ””を満たすと判定する。そして、機器ＩＤ“Ｄ２”及び“Ｄ４”である設備機器１００に対して“冷房ＯＦＦ”を制御内容として決定する。
【００２８】
また、制御内容決定部２１２は、決定した制御内容を表す制御信号を、制御情報に含まれる機器ＩＤに対応する設備機器１００に送信する。また、制御内容決定部２１２は、情報取得部２１１により取得された情報と、制御アルゴリズムテーブル２２１に格納された各制御アルゴリズムについて、設備機器１００へ制御内容を送信したか否かを表す制御実施状況とを表示制御装置４００に送信する。
【００２９】
次に、表示制御装置４００のハードウェア構成について説明する。図５に、本実施形態に係る表示制御装置４００のハードウェアの概略構成の一例を示す。図５に示すように、表示制御装置４００は、制御部４１０と、記憶部４２０と、入力部４３０と、通信部４４０とを備える。記憶部４２０、入力部４３０、及び通信部４４０、はいずれも、内部バス４５０を介して制御部４１０に接続されている。
【００３０】
制御部４１０は、例えば、ＣＰＵ、ＲＯＭ、ＲＡＭ等から構成される。ＣＰＵは、ＲＡＭを作業領域として用いて、ＲＯＭに記憶される種々のプログラムを実行する。
【００３１】
記憶部４２０は、ハードディスク又はフラッシュメモリ等の不揮発性メモリから構成される。記憶部４２０は、制御部４１０の処理に用いられる種々のデータを記憶している。具体的には、記憶部４２０には、平文化ルールテーブル４２１が記録されている。
【００３２】
平文化ルールテーブル４２１は、制御アルゴリズム毎に、その制御アルゴリズムを表す、ユーザが認識可能な平文データを格納する。図６に、平文化ルールテーブル４２１に格納されるデータの一例を示す。図６に示す平文化ルールテーブル４２１には、制御ＩＤ毎に、その制御ＩＤの制御アルゴリズムが平文化された平文データと対応付けて記録されている。また、平文データには、制御ＩＤに対応する制御アルゴリズムを用いて決定される制御内容の制御が行われた時に表示すべきメッセージ（制御有り時メッセージ）と、制御ＩＤに対応する制御アルゴリズムを用いて決定される制御内容の制御が行われなかった時に表示すべきメッセージ（制御無し時メッセージ）とが、格納されている。なお、平文データには、設備制御装置２００から取得した入力元種別毎のデータに基づいて生成されたデータを代入可能な変数が含まれてもよい。例えば、図６に示す制御ＩＤ“Ｃ２”の平文データには、入力元種別“外気温（Ｔｏ）”の値と、入力元種別“室温（Ｔｉ）”の値の差である“Ｔｏ−Ｔｉ”が変数として含まれている。
【００３３】
入力部４３０は、ユーザが表示制御装置４００を操作するためのマウスやキーボード等の入力装置から構成され、ユーザによって入力される各種の情報を受け付ける。
【００３４】
通信部４４０は、表示制御装置４００及び表示装置３００との間で通信するための通信インタフェースから構成される。通信部４４０は、制御部４１０による制御のもと、表示装置３００へのデータの送信、及び、設備制御装置２００との間でのデータの送受信を行う。
【００３５】
次に、表示制御装置４００の制御部４１０の機能的構成について説明する。
【００３６】
図７は、本発明の実施形態１に係る表示制御装置４００の制御部４１０の機能構成を示す概略ブロック図である。図７に示すように、制御部４１０は、ＲＯＭに格納されたプログラムを実行することにより、制御内容取得部４１１、表示制御部４１２、として機能する。
【００３７】
制御内容取得部４１１は、設備制御装置２００から、設備機器１００の制御内容の決定に用いられた制御アルゴリズムを取得する。例えば、制御内容取得部４１１は、設備制御装置２００が情報提供装置５００から取得した入力元種別毎のデータと、制御ＩＤと、制御実施状況と、を取得する。
【００３８】
表示制御部４１２は、制御内容取得部４１１により取得された制御アルゴリズムを、ユーザが認識可能な平文データに変換し、表示装置３００に出力する。例えば、表示制御部４１２は、取得した制御ＩＤ、制御実施状況に対応する平文データを平文化ルールテーブル４２１から取得し、その平文データを、表示装置３００に出力する。また、表示制御部４１２は、平文データに変数が埋め込まれている場合、取得した入力元種別毎のデータから変数の値を算出し、算出された値を変数に代入することにより、平文データを生成し、表示装置３００に出力する。
【００３９】
図８に、表示制御部４１２により表示装置３００に出力された平文データの一例を示す。図８に示すように、表示装置３００の画面３１０には、表示制御部４１２により出力された平文データＳ１，Ｓ２が表示される。
【００４０】
次に、本実施形態における設備制御装置２００の動作について説明する。
【００４１】
まず、設備制御装置２００が実行する設備制御処理の流れについて説明する。図９は、設備制御装置２００が実行する設備制御処理の流れの一例を示すフローチャートである。図９に示す設備制御処理は、例えば、現在時刻が予め定められた時刻になったことを契機として開始され、一定間隔おきに実行されるものとする。
【００４２】
まず、情報取得部２１１は、通信部２５０を介して、情報提供装置５００から入力元種別毎にデータを取得する（ステップＳ１０１）。
【００４３】
次に、制御内容決定部２１２は、制御アルゴリズムテーブル２２１を参照し、今回の処理において未だ実行されていない制御アルゴリズムを１つ決定する（ステップＳ１０２）。
【００４４】
そして、制御内容決定部２１２は、制御アルゴリズムテーブル２２１を参照し、ステップＳ１０２において決定された制御アルゴリズムの制御ＩＤに対応する入力元種別のデータが、制御条件を満たすか否かを判定する（ステップＳ１０３）。
【００４５】
制御内容決定部２１２は、入力元種別のデータが、制御条件を満たすと判定した場合（ステップＳ１０３；Ｙｅｓ）、制御実施状況を“有り”と決定する（ステップＳ１０４）。
【００４６】
そして、制御内容決定部２１２は、ステップＳ１０２において決定された制御アルゴリズムの制御ＩＤに対応する制御情報を参照し、その制御情報に含まれる機器ＩＤに対応する設備機器１００に、その制御情報に含まれる制御内容を出力する（ステップＳ１０５）。
【００４７】
制御内容決定部２１２は、入力元種別のデータが、制御条件を満たさないと判定した場合（ステップＳ１０３；Ｎｏ）、制御実施状況を“無し”と決定する（ステップＳ１０６）。
【００４８】
そして、制御内容決定部２１２は、制御アルゴリズムテーブル２２１に格納されている全ての制御アルゴリズムについて、条件を満たすか否かの判定処理を実行したか否かを判定する（ステップＳ１０７）。
【００４９】
制御内容決定部２１２は、全ての制御アルゴリズムについて、判定処理を実行していないと判定した場合（ステップＳ１０７；Ｎｏ）、ステップＳ１０２に戻って処理を繰り返す。
【００５０】
また、制御内容決定部２１２は、全ての制御アルゴリズムについて、判定処理を実行したと判定した場合（ステップＳ１０７；Ｙｅｓ）、ステップＳ１０１において取得した入力元種別毎のデータと、制御アルゴリズムテーブル２２１に格納されている各制御アルゴリズムについての制御ＩＤ及び制御実施状況と、を表示制御装置４００に出力する（ステップＳ１０８）。そして、本処理を終了する。
【００５１】
次に、表示制御装置４００が実行する表示制御処理の流れについて説明する。図１０は、表示制御装置４００が実行する表示制御処理の流れの一例を示すフローチャートである。図１０に示す表示制御処理は、例えば、表示制御装置４００の制御内容取得部４１１が、通信部４４０を介して設備制御装置２００から入力元種別毎のデータと、各制御アルゴリズムについての制御ＩＤ及び制御実施状況を示すデータを受け付けたことを契機として開始される。
【００５２】
まず、表示制御部４１２は、平文化ルールテーブル４２１を参照し、今回の処理において未だ実行されていない制御アルゴリズムを１つ決定する（ステップＳ２０１）。
【００５３】
次に、表示制御部４１２は、平文化ルールテーブル４２１を参照し、設備制御装置２００から取得したデータのうち、ステップＳ２０１において決定された制御アルゴリズムの制御ＩＤに対応する制御実施状況の平文データを取得する（ステップＳ２０２）。
【００５４】
例えば、制御内容取得部４１１が、設備制御装置２００から、制御ＩＤ“Ｃ１”について、制御実施状況“有り”が対応付けられたデータを取得した場合、表示制御部４１２は、図６に示す平文化ルールテーブル４２１から、制御ＩＤ“Ｃ１”に対応する平文データのうち、制御有り時メッセージである“天気が晴れで、かつ室温が２８℃を切りましたので、Ｄ２，Ｄ４は冷房ＯＦＦしました。”を取得する。
【００５５】
また、例えば、制御内容取得部４１１が、設備制御装置２００から、制御ＩＤ“Ｃ２”について、制御実施状況“無し”が対応付けられたデータを取得した場合、表示制御部４１２は、図６に示す平文化ルールテーブル４２１から、制御ＩＤ“Ｃ２”に対応する平文データのうち、制御無し時メッセージである“外気温と室温との差が“Ｔｏ−Ｔｉ”℃なので、Ｄ３は冷房ＯＮを維持します。”を取得する。この時、表示制御部４１２は、取得した平文データに変数“Ｔｏ−Ｔｉ”が含まれていると判定し、制御内容取得部４１１が、設備制御装置２００から取得した入力元種別のデータである外気温Ｔｏと室温Ｔｉから“Ｔｏ−Ｔｉ”を算出し、取得した平文データの“Ｔｏ−Ｔｉ”に算出結果を代入することで、平文データを取得する。
【００５６】
次に、表示制御部４１２は、ステップＳ２０２において取得された平文データを表示装置３００に出力する（ステップＳ２０３）。
【００５７】
そして、表示制御部４１２は、平文化ルールテーブル４２１に格納されている全ての制御アルゴリズムについて、平文データの表示装置３００への出力処理を実行したか否かを判定する（ステップＳ２０４）。
【００５８】
表示制御部４１２は、全ての制御アルゴリズムについて、出力処理を実行していないと判定した場合（ステップＳ２０４；Ｎｏ）、ステップＳ２０１に戻って処理を繰り返す。
【００５９】
また、表示制御部４１２は、全ての制御アルゴリズムについて、出力処理を実行したと判定した場合（ステップＳ２０４；Ｙｅｓ）、本処理を終了する。
【００６０】
以上説明したように、本実施形態に係る表示制御装置４００は、設備制御装置２００が設備機器１００に対して決定した制御内容の導出過程である制御アルゴリズムを平文化して表示装置３００に出力する。従って、ユーザは、どのような制御アルゴリズムを用いて設備機器１００が制御されているのかを容易に認識することができる。
【００６１】
（実施形態２）
次に、本発明の実施形態２について説明する。上記の実施形態１では、制御アルゴリズムテーブル２２１及び平文化ルールテーブル４２１に格納された全ての制御アルゴリズムについて、表示装置３００に出力する例について説明した。本実施形態２では、制御アルゴリズムテーブル２２１及び平文化ルールテーブル４２１に格納された制御アルゴリズムのうち、予めユーザにより設定された表示条件を満たす制御アルゴリズムについて、表示装置３００に出力する例について説明する。なお、実施形態１と同様の構成については、同様の符号を用い、その詳細な説明を省略する。
【００６２】
図１１は、本発明の実施形態２に係る表示制御装置４００の機能構成を示す概略ブロック図である。図１１に示すように、実施形態２に係る表示制御装置４００では、記憶部４２０に、平文化ルールテーブル４２１の他、さらに制御履歴テーブル４２２、機器設定テーブル４２３、及び表示条件テーブル４２４が格納されている。
【００６３】
制御履歴テーブル４２２は、設備制御装置２００による設備機器１００の制御内容の履歴（制御履歴データ）を格納するテーブルである。図１２に、制御履歴テーブル４２２に格納されるデータの一例を示す。図１２に示す制御履歴テーブル４２２には、設備制御装置２００から制御アルゴリズムを取得した日時と、その制御アルゴリズムの制御ＩＤ、入力元種別毎のデータ、機器ＩＤ、及び制御実施状況とが対応付けて格納されている。制御内容取得部４１１は、設備制御装置２００から制御アルゴリズムを取得すると、取得した日時とともに、制御履歴テーブル４２２にデータを格納する。
【００６４】
機器設定テーブル４２３は、設備機器１００毎に、予め設定された情報を格納するテーブルである。図１３に、機器設定テーブル４２３に格納されるデータの一例を示す。図１３に示す機器設定テーブル４２３には、設備機器１００の機器ＩＤ、通信に用いられる機器アドレス、設備機器１００の設置場所が対応付けて格納されている。機器設定テーブル４２３に格納されるデータは、例えば、予めユーザにより設定されている。
【００６５】
表示条件テーブル４２４は、表示装置３００に出力すべき制御アルゴリズムの条件を表す情報を格納する。図１４に、表示条件テーブル４２４に格納されるデータの一例を示す。図１４に示す表示条件テーブル４２４には、表示装置３００に出力すべきデータの種別を表す表示条件種別と、表示条件とが対応付けて格納されている。表示条件テーブル４２４に格納されるデータは、例えば、予めユーザにより設定されている。また、表示条件種別として、図１４に例示されている日時、機器ＩＤの他、例えば、設備機器１００の機器アドレス、設備機器１００の設置場所、制御実施状況、制御ＩＤ、入力元種別を設定することができる。
【００６６】
次に、本実施形態２に係る表示制御装置４００が実行する表示制御処理の流れについて説明する。図１５は、表示制御装置４００が実行する表示制御処理の流れの一例を示すフローチャートである。図１５に示す表示制御処理は、例えば、ユーザから表示制御処理の実行を開始する旨の操作入力を入力部４３０が受け付けたことを契機として開始される。
【００６７】
まず、表示制御部４１２は、制御履歴テーブル４２２に記録されている制御履歴データのうち、表示条件テーブル４２４に格納されている表示条件を満たす制御履歴データを取得する（ステップＳ３０１）。
【００６８】
例えば、表示条件テーブル４２４に、図１４に示すように、表示条件種別“日時”の表示条件“2014/6/1 0:00〜2014/6/2 0:00”と、表示条件種別“機器ＩＤ”の表示条件“Ｄ２”と、が格納されていた場合、表示制御部４１２は、制御履歴テーブル４２２から、日時が“2014/6/1 0:00”から“2014/6/2 0:00”の間であって、機器ＩＤに“Ｄ２”が含まれる制御履歴データを取得する。
【００６９】
次に、表示制御部４１２は、平文化ルールテーブル４２１を参照し、ステップＳ３０１において取得した制御履歴データの平文データを取得する（ステップＳ３０２）。例えば、表示制御部４１２は、実施形態１の表示制御処理のステップＳ２０２と同様の方法により、平文データを取得する。
【００７０】
次に、表示制御部４１２は、ステップＳ３０２において取得された平文データを表示装置３００に出力する（ステップＳ３０３）。そして、本処理を終了する。
【００７１】
以上説明したように、本実施形態２に係る表示制御装置４００は、予めユーザが表示条件を設定し、表示装置３００に表示すべき制御アルゴリズムを選択することができるため、ユーザが所望する制御アルゴリズムのデータを容易に取得することができる。
【００７２】
以上、本発明の実施形態について説明したが、本発明は実施形態によって限定されるものではない。
【００７３】
例えば、上記の実施形態１及び２において、表示制御装置４００が、制御アルゴリズムを平文データに変換して表示装置３００に出力する例について説明したが、ユーザが認識可能な形式であるならば、表示装置３００への出力形式はこれに限られない。例えば、表示制御装置４００は、制御アルゴリズムを表形式のデータに変換して表示装置３００に出力してもよい。
【００７４】
また、上記の実施形態１及び２において、表示制御装置４００が、表示装置３００に出力するデータは、制御アルゴリズムの平文データに限られない。例えば、表示制御装置４００は、設備制御装置２００が決定した制御内容で設備機器１００が制御される場合と、設備制御装置２００が決定した制御内容で設備機器１００が制御されない場合との消費電力量の比較結果を省エネルギー効果を表すデータとして表示装置３００に出力してもよい。
【００７５】
また、上記の実施形態では、設備制御装置２００と表示制御装置４００とが別々の装置から構成される例について説明したが、設備制御装置２００と表示制御装置４００とが１つの装置から構成されてもよい。
【００７６】
また、本発明に係る設備制御システム１は、専用のシステムによらず、通常のコンピュータシステムを用いても実現可能である。例えば、ネットワークに接続されているコンピュータに、上記動作を実行するためのプログラムを、コンピュータシステムが読み取り可能な記録媒体（ＣＤ−ＲＯＭ、ＭＯ等）に格納して配布し、当該プログラムをコンピュータシステムにインストールすることにより、上述の処理を実行する設備制御装置２００及び表示制御装置４００を構成してもよい。
【００７７】
また、コンピュータにプログラムを提供する方法は任意である。例えば、プログラムは、通信回線の掲示板（ＢＢＳ）にアップロードされ、通信回線を介してコンピュータに配信されてもよい。また、プログラムは、プログラムを表す信号により搬送波を変調した変調波により伝送され、この変調波を受信した装置が変調波を復調してプログラムを復元するようにしてもよい。そして、コンピュータは、このプログラムを起動して、ＯＳの制御のもと、他のアプリケーションと同様に実行する。これにより、コンピュータは、上述の処理を実行する設備制御装置２００及び表示制御装置４００として機能する。
【符号の説明】
【００７８】
１  設備制御システム、１００  設備機器、２００  設備制御装置、２１０  制御部、２１１  情報取得部、２１２  制御内容決定部、２２０  記憶部、２２１  制御アルゴリズムテーブル、２３０  入力部、２４０  表示部、２５０  通信部、２６０  内部バス、３００  表示装置、３１０  画面、４００  表示制御装置、４１０  制御部、４１１  制御内容取得部、４１２  表示制御部、４２０  記憶部、４２１  平文化ルールテーブル、４２２  制御履歴テーブル、４２３  機器設定テーブル、４２４  表示条件テーブル、４３０  入力部、４４０  通信部、４５０  内部バス、５００（５００ａ，５００ｂ）  情報提供装置、６００  ネットワーク
【図１】
2016001085.tif 000003
【図２】
2016001085.tif 000004
【図３】
2016001085.tif 000005
【図４】
2016001085.tif 000006
【図５】
2016001085.tif 000007
【図６】
2016001085.tif 000008
【図７】
2016001085.tif 000009
【図８】
2016001085.tif 000010
【図９】
2016001085.tif 000011
【図１０】
2016001085.tif 000012
【図１１】
2016001085.tif 000013
【図１２】
2016001085.tif 000014
【図１３】
2016001085.tif 000015
【図１４】
2016001085.tif 000016
【図１５】
2016001085.tif 000017